(57)【要約】【課題】読み書きを実施したタグを容易に確認できる無線タグを提供する。【解決手段】制御手段、通信手段、および記憶手段を有する無線タグにおいて、メモリ性を有し、書き換え時にのみ電力を消費する表示デバイスを、内蔵または外付けにより備え、前記記憶手段に記憶されるデータの読み出し／書き込みの処理の際、前記制御手段は、前記通信手段に内蔵または外付けされるアンテナの誘起電力を前記表示デバイスに供給することにより、前記表示デバイスの表示を別の状態に変化させる。【選択図】図１
2010218256.tif 000002
【特許請求の範囲】
【請求項１】
制御手段、通信手段、および記憶手段を有する無線タグにおいて、
メモリ性を有し、書き換え時にのみ電力を消費する表示デバイスを、内蔵または外付けにより備え、
前記記憶手段に記憶されるデータの読み出し／書き込みの処理の際、前記制御手段は、前記通信手段に内蔵または外付けされるアンテナの誘起電力を前記表示デバイスに供給することにより、前記表示デバイスの表示を別の状態に変化させる
ことを特徴とする無線タグ。
【請求項２】
前記表示デバイスは、電子ペーパーであることを特徴とする請求項１に記載の無線タグ。
【発明の詳細な説明】
【技術分野】
【０００１】
本発明は、無線タグに関する。
【背景技術】
【０００２】
近年、ＩＣチップとアンテナを内蔵し、専用のリーダライタとアンテナを介して非接触で通信を行うことにより、ＩＣチップのメモリに情報が書き込まれたり、同メモリに記憶されている情報が読取られたりする小型の無線タグが開発されている。この無線タグは、予め製造段階で固有の識別情報いわゆるＩＤが書換え不能に記憶されており、リーダライタは、このＩＤを基に媒体を個々に認識して情報の読取りや書込みを行う。そこで、この無線タグを、認識が必要な対象物に付すとともに、この対象物に関する情報をＩＣチップで記憶することによって、リーダライタに接続されたホストは、リーダライタで読取られたタグからの情報により当該タグが付された対象物を特定することができる。この種のタグは、ＲＦＩＤ（Radio  Frequency  Identification）タグとも称され、物流情報管理や個人情報管理などの様々な情報管理システムでの利用が提案されている。
【０００３】
ＲＦＩＤタグは、従来のバーコードシステムのように、１つ１つの荷札にリーダライタをあてる必要がないため、離れた場所から複数の荷札をまとめて読み込むことができ、かつ、複数の荷札に対してまとめて書き込むことができる。例えば、特許文献１には、衣料の一点毎に取り付けられる無線式のＩＣタグと、このタグの複数個に対して無線通信で一斉に情報の読み出しおよび書き込みを行うリーダライタとを備えた衣料管理システムが開示されている。
【発明の概要】
【発明が解決しようとする課題】
【０００４】
しかしながら、ＲＦＩＤ技術は、同時に多くのタグを読み取ることができるというメリットがあるが、どのタグを読んで、どのタグを読まなかったかということを認識しにくいというデメリットもある。この読みこぼしが発生することにより、何度も読み取りを実施しなければならなかったり、結局どれを読んでどれを読まなかったかを１点ずつ確認しなければならなかったりしていた。
【０００５】
本発明は、上記の課題に鑑みてなされたものであって、読み書きを実施したタグを容易に確認できる無線タグを提供することを目的とする。
【課題を解決するための手段】
【０００６】
上述した課題を解決し、目的を達成するために、本発明は、制御手段、通信手段、および記憶手段を有する無線タグにおいて、メモリ性を有し、書き換え時にのみ電力を消費する表示デバイスを、内蔵または外付けにより備え、前記記憶手段に記憶されるデータの読み出し／書き込みの処理の際、前記制御手段は、前記通信手段に内蔵または外付けされるアンテナの誘起電力を前記表示デバイスに供給することにより、前記表示デバイスの表示を別の状態に変化させることを特徴とする。
【発明の効果】
【０００７】
本発明によれば、無線タグに対する読み書きに応じて、その表示を変化させる表示器を設けたことで、当該タグが読み書きの完了したものかどうかを視覚的に認識でき、読みこぼし発生時にその対象となるタグをすぐに見つけられる、という効果を奏する。
【図面の簡単な説明】
【０００８】
【図１】図１は、本発明の一実施の形態にかかるＲＦＩＤタグの主要部の構成を示すブロック図である。
【図２】図２は、図１に示したＲＦＩＤタグを衣料品用ハンガーに貼付した場合の一実施例を示す図である。
【図３】図３は、ＲＦＩＤタグに対しデータの読み出し／書き込みを行うためのＲＦＩＤタグ読取書込装置の主要部の構成を示すブロック図である。
【図４】図４は、ＲＦＩＤタグにおける電子ペーパーの表示制御を説明するフローチャートである。
【発明を実施するための形態】
【０００９】
以下に添付図面を参照して、この発明にかかる無線タグ（ＲＦＩＤタグ）の一実施の形態を詳細に説明する。
【００１０】
（ＲＦＩＤタグ）
図１は、本発明の一実施の形態にかかるＲＦＩＤタグの主要部の構成を示すブロック図である。図１に示すように、ＲＦＩＤタグ１００は、アンテナ１０１と、ＩＣチップ１０２と、電力供給がなくとも表示状態を保持するメモリ性を有し、書き換え時にのみ電力を消費する表示デバイスとしての電子ペーパー１０３とで構成されている。図１では、アンテナ１０１および電子ペーパー１０３をＲＦＩＤタグ１００に含めて図示しているが、アンテナ１０１および／または電子ペーパー１０３は、ＲＦＩＤタグ１００に内蔵しても、外付けとしてもよい。また、電子ペーパー１０３は、電力を供給されることにより、例えば、白から黒へなど、その表示状態を変える機能を有するものとする。
【００１１】
ＩＣチップ１０２は、アンテナ１０１で受信した変調波の整流と安定化を行うことによりＩＣチップ１０２の各部に電源を供給する電源生成部１１１、上記変調波を復調して制御部１１３へ送出する復調部１１２、制御部（制御手段）１１３から送出されたデータを変調してアンテナ１０１に送出する変調部１１４、復調部１１２で復調されたデータを記憶部１１５に書込んだり、記憶部１１５からデータを読み出して変調部１１４へ送出したりする制御部１１３、及びＥＥＰＲＯＭ等の不揮発性の書換え可能な記憶部（記憶手段）１１５等で構成されている。記憶部１１５には、当該ＲＦＩＤタグ１００の製造段階で製造業者により割当て設定された固有の識別情報であるＩＤが予め記憶されている。また、ユーザが任意のデータを書込むことができるユーザ領域が確保されている。なお、図１の例では、アンテナ１０１は、ＩＣチップ１０２に外付けされているが、ＩＣチップ１０２内の復調部１１２および変調部１１４からなる通信部（通信手段）の一部としてＩＣチップ１０２に内蔵される形態としてもよい。
【００１２】
（実施例）
図２に、図１に示したＲＦＩＤタグ１００（この例では、電子ペーパー１０３は外付け）を衣料品用ハンガー２００に貼付した場合の一実施例を示す。
【００１３】
（ＲＦＩＤタグ読取書込装置）
図３は、ＲＦＩＤタグ１００に対しデータの読み出し／書き込みを行うためのＲＦＩＤタグ読取書込装置３００の主要部の構成を示すブロック図である。図３に示すように、ＲＦＩＤタグ読取書込装置３００は、ＲＦＩＤリーダライタ部３０１、アンテナ部３０２、操作パネル３０３、通信インターフェイス３０４、記憶部３０５及び制御部３０６等を備えている。
【００１４】
アンテナ部３０２は、ＲＦＩＤリーダライタ部３０１の制御により読取／書込信号としての変調波を発信し、この変調波を受信したＲＦＩＤタグ１００から発信される変調波を受信するものである。読取／書込信号は、ＲＦＩＤタグの読み取りまたは書き込みを行う際、ＲＦＩＤタグへ送信する信号である。この信号により、ＲＦＩＤリーダライタ部３０１は、アンテナ３０２から発信される変調波が到達し得る交信領域内に存在する前述のＲＦＩＤタグ１００の記憶部１１５からそこに格納されているデータを非接触で読取ったり、この記憶部１１５にデータを非接触で書き込んだりする。
【００１５】
操作パネル３０３には、各種キーや表示部等が設けられている。通信インターフェイス３０４には、各種外部装置が接続可能である。管理者は、この操作パネル３０３や、通信インターフェイス３０４に接続されたホスト装置（図示せず）を使用して、当該ＲＦＩＤタグ読取書込装置１００を操作することができる。
【００１６】
記憶部３０５には、各種プログラムやＲＦＩＤ書込データが記憶されている。ここで、ＲＦＩＤ書込データは、ＲＦＩＤタグ１００の記憶部１１５に書き込むべき情報である。記憶部３０５は、例えばフラッシュメモリであるＳＲＡＭ（Static  Random  Access  Memory）である。
【００１７】
制御部３０６は、ＲＦＩＤリーダライタ部３０１、操作パネル３０３、通信インターフェイス３０４、記憶部３０５をそれぞれ制御するものである。制御部３０６は、ホスト装置（図示せず）から通信インターフェイス３０４を介してＲＦＩＤ発行ジョブを受信すると、このジョブに含まれているＲＦＩＤ書込データを記憶部３０５に記憶する。
【００１８】
（電子ペーパーの表示制御）
次に、ＲＦＩＤタグ１００における電子ペーパー１０３の表示制御について図４を用いて説明する。図４は、ＲＦＩＤタグ１００における電子ペーパー１０３の表示制御を説明するフローチャートである。
【００１９】
ＲＦＩＤタグ読取書込装置３００により、ＲＦＩＤタグ１００の記憶部１１５に対するデータの読み出し／書き込みの際、ＲＦＩＤリーダライタ部３０１とＲＦＩＤタグ１００間で、所定の規格（例えば、ＥＰＣＴＭ無線周波数識別プロトコル  Ｃｌａｓｓ−１  Ｇｅｎｅｒａｔｉｏｎ−２  ＵＨＦ  ＲＦＩＤ  ８６０ＭＨｚ−９６０ＭＨｚ周波数帯における通信プロトコル）に基づく通信制御がなされる。ＲＦＩＤタグ１００は、ＲＦＩＤリーダライタ部３０１からの読み出し／書き込みのためのコマンドデータを受信すると（ステップＳ４０１）、ＲＦＩＤタグ１００の制御部１１３が、このコマンドデータに対する所定の処理を実行する（ステップＳ４０２）。そして、ＲＦＩＤタグ１００における処理が終了すると、通常のＲＦＩＤタグ１００は、ＲＦＩＤリーダライタ部３０１からのコマンドデータを正常に受け付けたこと（処理が正常に終了したこと）を通知するＡＣＫ（Acknowledgement）をＲＦＩＤリーダライタ部３０１へ返信する（ステップＳ４０４）。
【００２０】
本実施形態のＲＦＩＤタグ１００の制御部１１３は、このＡＣＫをＲＦＩＤリーダライタ部３０１へ返信する直前に（ただし、電子ペーパー１０３に十分な電力を供給できる時間を確保して）、電子ペーパー１０３に電源生成部１１１からの誘起電力を供給する（ステップＳ４０３）。このようにして、電子ペーパー１０３に電源生成部１１１からの電力を供給することにより、電子ペーパー１０３の表示状態を変化させ（白から黒へなど）、ＲＦＩＤタグ１００への読み出し／書き込みが成功したか否かをユーザが視認できるようにする。これにより、従来のように、どのタグが読めて、どのタグが読めなかったか不明であったといった問題を解決することができる。
【符号の説明】
【００２１】
１００  ＲＦＩＤタグ
１０１  アンテナ
１０２  ＩＣチップ
１０３  電子ペーパー
１１１  電源生成部
１１２  復調部
１１３  制御部
１１４  変調部
１１５  記憶部
２００  衣料品用ハンガー
３００  ＲＦＩＤタグ読取書込装置
３０１  ＲＦＩＤリーダライタ部
３０２  アンテナ
３０３  操作パネル
３０４  通信Ｉ／Ｆ
３０５  記憶部
３０６  制御部
【先行技術文献】
【特許文献】
【００２２】
【特許文献１】特開２００８−１６８０４５号公報
【図１】
2010218256.tif 000003
【図２】
2010218256.tif 000004
【図３】
2010218256.tif 000005
【図４】
2010218256.tif 000006